(57)【要約】【課題】農産物保冷庫において、パネルの内部に結露防止用ヒータを組み付ける必要をなくし、結露防止用ヒータを壁材の折り返し部に密着させ、結露を効果的に防止し、また、結露防止用ヒータの組み付け作業を簡単とし、その組付性を向上するとともに、接着部材を不要とし、部品点数を低減し、よって、コストを低減し、また、一度組み付けた結露防止用ヒータをパネルから取外可能とし、保守点検を容易に行わせることにある。【解決手段】本体の開口部を形成する床面パネルと側面パネルと天井パネルとの扉が接離される正面側端に前枠を配設するとともにこの前枠をパネルの壁材の折り返し部に係合して設け、この前枠には嵌め込み式の前枠カバーを取り付けて設け、この前枠カバーは前枠に嵌め込まれたときに結露防止用ヒータを壁材の折り返し部に密着させる突起部を備えている。【選択図】図１
2005061804.tif 000002
【特許請求の範囲】
【請求項１】
正面側に扉により開閉される開口部を備えるとともに内部に農産物を貯蔵する貯蔵室を備える本体を設け、この本体内の貯蔵室を冷却する冷却ユニットを設け、前記貯蔵室に収納した農産物を冷却保存する農産物保冷庫において、前記本体の開口部を形成する床面パネルと側面パネルと天井パネルとの前記扉が接離される正面側端に前枠を配設するとともにこの前枠を前記パネルの壁材の折り返し部に係合して設け、前記前枠には嵌め込み式の前枠カバーを取り付けて設け、この前枠カバーは前記前枠に嵌め込まれたときに結露防止用ヒータを前記壁材の折り返し部に密着させる突起部を備えていることを特徴とする農産物保冷庫。
【発明の詳細な説明】
【技術分野】
【０００１】
この発明は、農産物保冷庫に係り、特に結露防止用ヒータを本体に簡単に且つ鋼材製の壁材に密着して組み付けることができる農産物保冷庫に関する。
【背景技術】
【０００２】
玄米や野菜等の農産物は、温度を下げることにより長期保存が可能になる。このような農産物を低温で保存する農産物保冷庫は、断熱性を有する各パネルにより箱状に形成される本体を設け、この本体の正面側に断熱性を有する扉により開閉されて農産物を出し入れする開口部を備えるとともに、この本体内に農産物を貯蔵する貯蔵室を備え、この貯蔵室を冷却する冷却ユニットを設けている。農産物保冷庫は、冷却ユニットにより貯蔵室を冷却し、貯蔵室に貯蔵した農産物を冷却保存するものである。
【０００３】
従来の農産物保冷庫としては、本体を形成する床パネルの開口部側の下面に結露防止用ヒータを固着し、床パネルの開口部側の下面の結露を防止したものがある。
【特許文献１】特開２０００−３５４８２号公報
【発明の開示】
【発明が解決しようとする課題】
【０００４】
ところで、従来の農産物保冷庫においては、鋼材製の２枚の壁材間の空間に断熱材を充填した断熱性を有する各パネルにより箱体を形成し、この本体の正面側の開口部を断熱性を有する扉を設けている。扉は、本体の開口部を形成する各パネルの正面側端に接離される。
【０００５】
農産物保冷庫は、本体の開口部を形成する各パネルの扉が接離される正面側端の結露を防止するために、各パネルの扉が接離される正面側端の壁材の内側に結露防止用ヒータを密着させて収納し、この結露防止用ヒータで加温することにより、本体の開口部周りに結露が発生することを防止している。この結露防止用ヒータによる加温の仕方には、常時加温、冷却ユニットの圧縮機運転と同期しての加温、適宜の箇所に配けた温度センサからの信号に基づいての加温等がある。
【０００６】
ところが、各パネルの扉が接離される正面側端の壁材内側に結露防止用ヒータを組み付ける場合には、図９に示す如く、例えば、鋼材製の外側壁材１０２と内側壁材１０４との間にウレタン等の断熱材１０６を発泡充填して成る側面パネル１０８において、外側壁材１０２と内側壁材１０４とを前枠１１０で連結し、つまり、外側壁材１０２の側面側端壁部１１２から折り曲げられた正面側端壁部１１４の正面側折り返し部１１６に断面Ｌ字形状の前枠１１０の一端側の正面側係合部１１８を係合するとともに、内側壁材１０４の内側端壁部１２０の内側折り返し部１２２に前枠１１０の他端側の内側係合部１２２を係合し、また、外側壁材１０２の折り曲げられた側面側端壁部１１２と正面側端壁部１１４との内側隅部位１２６の内面には、結露防止用ヒータ１２８をテープ等の接着部材１３０で密着して取り付けていた。
【０００７】
このため、側面パネル１０８の内部に結露防止用ヒータ１２８を組み付けていることから、結露防止用ヒータ１２８の組み付け作業に手間がかかり、その組付性が低下するとともに、接着部材１３０が必要となり、部品点数が増加し、よって、コストアップを招く不都合があるとともに、一度組み付けた結露防止用ヒータ１２８を側面パネル１０８から取り外すことができず、保守点検ができなくなるという不都合があった。
【課題を解決するための手段】
【０００８】
この発明は、正面側に扉により開閉される開口部を備えるとともに内部に農産物を貯蔵する貯蔵室を備える本体を設け、この本体内の貯蔵室を冷却する冷却ユニットを設け、前記貯蔵室に収納した農産物を冷却保存する農産物保冷庫において、前記本体の開口部を形成する床面パネルと側面パネルと天井パネルとの前記扉が接離される正面側端に前枠を配設するとともにこの前枠を前記パネルの壁材の折り返し部に係合して設け、前記前枠には嵌め込み式の前枠カバーを取り付けて設け、この前枠カバーは前記前枠に嵌め込まれたときに結露防止用ヒータを前記壁材の折り返し部に密着させる突起部を備えている。
【発明の効果】
【０００９】
この発明の農産物保冷庫は、本体の開口部を形成する床面パネルと側面パネルと天井パネルとの扉が接離される正面側端に前枠を配設するとともにこの前枠をパネルの壁材の折り返し部に係合して設け、この前枠には嵌め込み式の前枠カバーを取り付けて設け、この前枠カバーは前枠に嵌め込まれたときに結露防止用ヒータを壁材の折り返し部に密着させる突起部を備えていることから、パネルの内部に結露防止用ヒータを組み付ける必要がなく、前枠カバーを前枠に嵌め込むだけで結露防止用ヒータを壁材の折り返し部に密着させることができ、結露を効果的に防止し、また、結露防止用ヒータの組み付け作業を簡単とし、その組付性を向上するとともに、接着部材が不要となり、部品点数を低減し、よって、コストを低減し、また、一度組み付けた結露防止用ヒータをパネルから取り外すことができ、保守点検を容易に行わせることができる。
【発明を実施するための最良の形態】
【００１０】
この発明の農産物保冷庫は、結露防止用ヒータを鋼材製のパネルの壁材に密着して簡単に取り付けるという目的を、突起部が備えられた前枠カバーを前枠に嵌め込むだけで実現するものである。
以下図面に基づいてこの発明の実施例を詳細且つ具体的に説明する。
【実施例１】
【００１１】
図１〜図６は、この発明の第１実施例を示すものである。図６において、２は農産物保冷庫である。農産物保冷庫２は、本体４を断熱性を有する床面パネル６と側面パネル８・１０と天井パネル１２と背面パネル１４とにより箱状に形成されている。各パネル６〜１４は、２枚の壁材の内側にウレタン等の断熱材を発泡充填して形成されている。例えば、図２に示す如く、側面パネル８は、鋼材製の外側壁材１６と内側壁材１８との間の空間にウレタン等の断熱材２０を発泡充填して形成されている。なお、他の床面パネル６と天井パネル１２と背面パネル１４とについても、図示しないが、同様に、外側壁材１６と内側壁材１８との間の空間にウレタン等の断熱材２０を発泡充填して形成されている。
【００１２】
本体４は、箱状であり、正面側に農産物を出し入れする開口部２２を備えるとともに、内部に農産物を貯蔵する貯蔵室２４を備え、開口部２２を開閉する断熱性を有する一対の扉２６を備えている。この扉２６は、左側扉２６Ｌと右側扉２６Ｒとからなり、各パネル６〜１４と同様に、２枚の壁材の内側にウレタン等の断熱材を発泡充填して形成されている。
【００１３】
農産物保冷庫２には、本体４内の貯蔵室２４を冷却する冷却ユニット２８が天井パネル１２上に設けられている。農産物保冷庫２は、この冷却ユニット２８により貯蔵室２４を冷却し、貯蔵した農産物を冷却保存するものである。また、床面パネル６の下面には、複数の移動用車輪３０が取り付けられている。
【００１４】
この農産物保冷庫２には、ヒータ収納機構３２が設けられている。このヒータ収納機構３２は、本体４の開口部２２を形成する床面パネル６と側面パネル８・１０と天井パネル１２との、扉２６が接離される正面側端に設けられている。このヒータ収納機構３２は、結露防止用ヒータ３４を着脱可能に収納するものである。
【００１５】
このヒータ収納機構３２においては、床面パネル６と側面パネル８・１０と天井パネル１２との正面側端の扉２６が接離される前枠３６に、結露防止用ヒータ３４が収納されるヒータ収納部３８を設け、このヒータ収納部３８に収納された結露防止用ヒータ３４を覆うように、前枠３６に着脱可能に嵌め込まれて前枠カバー４０を取り付けている。結露防止用ヒータ３４への電源線（図示せず）は、天井パネル１２に埋め込まれている。
【００１６】
なお、ヒータ収納機構３２は、各パネル６〜１２について同一の構造であるので、この実施例においては、側面パネル８を例示して説明する。
【００１７】
側面パネル８には、図２に示す如く、外側壁材１６の側面側端壁部４２から折り曲げられて正面側端で内側壁材１８に向かって直交する方向に延びるとともに内側壁材１８までの中間にまで達する正面側端壁部４４が形成され、また、この正面側端壁部４４の先端を外側壁材１６と平行する背面側方向に折り返して正面側折り返し部４６が形成されている。また、側面パネル８には、内側壁材１８の正面側端近傍を外側壁材１６に向かって直交する方向に折り返して内側折り返し部４８が形成されている。
【００１８】
前枠３６は、図２、図３に示す如く、側面パネル８の正面側端壁部４６に接続される正面側部材５０と、この正面側部材５０に対して直交して内側壁材１８に接続される内側部材５２とにより、断面略Ｌ字形状に形成されている。
【００１９】
正面側部材５０には、側面パネル８の背面側に向かって窪んで正面側端壁部４４の正面側折り返し部４６が係合する断面略Ｊ字形状の正面側係合部５４が設けられ、この正面側係合部５４の短い片部分先端に連続して長い片部分と交差する方向に延びた後に折曲して正面側に向かって延びる断面略Ｌ字形状の前記ヒータ収納部３８が設けられ、このヒータ収納部３８の折曲する部分に連続して側面パネル８の背面側に向かって窪んだ係止部５６が設けられ、この係止部５６の一方の片部分の延長先端に連続して側面パネル８の背面側に引退した位置で正面側端壁部４４と平行するように延びる内側壁材１８に向かって延びる断面略Ｊ字形状の段差部５８が設けられ、この段差部５８の短い片部分先端に連続して正面側端壁部４４と平行するように延びて前記内側部材５２に連続する突縁部６０が設けられている。
【００２０】
正面側係合部５４には、前記正面側端壁部４４の正面側折り返し部４６を正面側から挿入する正面側係合溝６２が形成されている。ヒータ収納部３８には、結露防止用ヒータ３４の一部を接する略４分の１の円弧形状のヒータ収納溝６４が形成されている。このヒータ収納溝６４は、図３に示す如く、正面側折り返し部４６側に直線状に指向する側面側部位６４Ａと、正面側に指向して直線状に指向する正面側部位６４Ｂと、この側面側部位６４Ａと正面側部位６４Ｂとを連続して湾曲した湾曲部位６４Ｃとから形成されている。係止部５６には、中心線Ｐ上で対峙して内面に突出する一対の突条部６６・６６が設けられている。段差部５８には、凹所６８が形成されている。
【００２１】
内側部材５２には、前記側面パネル８の内側折り返し部４８に係合する内側係合部８０が設けられ、この内側係合部７０に連続して内側壁材１８に平行するように延びるとともに正面側部材５０の突縁部６０に連続する延長部７２が設けられている。内側係合部７０には、前記内側折り返し部４８を挿入する内側係合溝７４が設けられている。
【００２２】
前枠３６は、正面側係合部５４の正面側係合溝６２に側面パネル８の正面側端壁部４４の正面側折り返し部４６を係合し、内側係合部７０の内側係合溝７２に側面パネル８の内側折り返し部４８を係合することにより、側面パネル８に組み立てられる。
【００２３】
前枠カバー４０には、前枠３６に嵌め込まれる嵌め込み式のものであり、図４に示す如く、前記側面パネル８の正面側端壁部４４と平行で前記正面側部材５０のヒータ収納部３８に当接されて結露防止用ヒータ３４を覆うヒータカバー部７６が設けられ、このヒータカバー部７６に連続して前記正面側部材４８の係止部５４に挿入される一対の平行な突出部７８・７８が設けられ、この突出部７８・７８に連続して前記正面側部材５０の段差部５８の凹所６８に嵌合される嵌合部８０が設けられている。一対の平行な突出部７８・７８の外面には、係止部５６の一対の突条部６６・６６が係合する一対の条溝部８２・８２が形成されている。
【００２４】
また、嵌合部８０には、内側で且つヒータ収納溝６４に対応した位置で、突起部８４が突出して設けられる。この突起部８４には、ヒータ収納溝６４と共働して結露防止用ヒータ３４の一部を保持して該結露防止用ヒータ３４を正面側折り返し部４６側に配置するように少し緩やかな円弧形状のヒータ保持溝８６が形成され、そして、前枠カバー４０が前枠３６に嵌め込まれたときに、結露防止用ヒータ３４を外側壁材１８の正面側折り返し部４６の側面４６Ａに密着させるものである。この場合、ヒータ収納溝６４及びヒータ保持溝８６は、正面側折り返し部４６と共働してヒータ設置空間Ｓを形成し且つ正面側折り返し部４６の側面４６Ａに対向して配置され、結露防止用ヒータ３４を正面側折り返し部４６側に押圧するものである。
【００２５】
次に、この第１実施例の作用を説明する。
【００２６】
前枠３６に結露防止用ヒータ３４を組み付ける際には、前枠３６のヒータ収納溝６４と前枠カバー４０の嵌合部８０のヒータ保持溝８６との間に結露防止用ヒータ３４を配設し、そして、前枠カバー４０を前枠３６に嵌め込むと、つまり、前枠３６の係止部５６に前枠カバー４０の突出部７８・７８を挿入し、係止部５６の一対の突条部６６・６６に突出部７８の一対の条溝部８２・８２を係合させることにより、結露防止用ヒータ３４は、ヒータ収納溝６４及びヒータ保持溝８６によって正面側折り返し部４６の側面４６Ａに押圧されてこの正面側折り返し部４６の側面４６Ａに密着するとともに、前枠カバー４０のヒータカバー部７６により覆われる。よって、結露防止用ヒータ３４を正面側折り返し部４６の側面４６Ａに密着させることにより、結露を効果的に防止することができる。
【００２７】
また、前枠カバー４０に覆われた結露防止用ヒータ３４は、前枠３６の係止部５６の一対の突条部６６・６６から突出部７８・７８の一対の条溝部８２・８２に抜脱させることにより、前枠カバー４０を取り外してヒータ収納部３８から取り外すことができる。
【００２８】
なお、結露有無の確認試験においては、周囲温度を摂氏３５度、相対湿度を９０％の環境にした恒温室へ、貯蔵室２６の温度を摂氏５度に設定した農産物保冷庫２を入れ、２４時間後の農産物保冷庫２の外面への結露有無を目視検査した結果、結露が無いことを確認できた。
【００２９】
この結果、この農産物保冷庫２は、本体４の開口部２２を形成する床面パネル６と側面パネル８・１０と天井パネル１２との扉２６が接離される正面側端に前枠３６を配設するとともにこの前枠３６を外側壁材１６の正面側折り返し部４６に係合して設け、この前枠３６には嵌め込み式の前枠カバー４０を取り付けて設け、この前枠カバー４０は前枠３６に嵌め込まれたときに結露防止用ヒータ３４を外側壁材１６の正面側折り返し部４６に密着させる突起部８４を備えていることから、パネルの内部に結露防止用ヒータ３４を組み付ける必要がなく、前枠カバー４０を前枠３６に嵌め込むだけで結露防止用ヒータ３４を外側壁材１６の正面側折り返し部４６に密着させることができ、結露を効果的に防止し、また、結露防止用ヒータ３４の組み付け作業を簡単とし、その組付性を向上するとともに、接着部材が必要となり、コストを低減し、また、一度組み付けた結露防止用ヒータ３４をパネルから取り外すことができ、保守点検を容易に行わせることができる。
【実施例２】
【００３０】
図７は、この発明の第２実施例を示すものである。
【００３１】
この第２実施例の特徴とするところは、以下の点にある。即ち、正面側折り返し部４６には、結露防止用ヒータ３４の一部を収める受け窪部９２を形成した。
【００３２】
この第２実施例の構成によれば、結露防止用ヒータ３４の一部を受け窪部９２に収めることにより、結露防止用ヒータ３４の正面側折り返し部４６への接触面積を大きくし、結露防止用ヒータ３４を正面側折り返し部４６にさらに密着させ、結露防止用ヒータ３４のの伝熱性を良くして、結露をさらに効果的に防止するとともに、結露防止用ヒータ３４を受け窪部９２とヒータ収納溝６４とヒータ保持溝８６とで保持することができ、結露防止用ヒータ３４を堅固に保持することができる。
【実施例３】
【００３３】
図８は、この発明の第３実施例を示すものである。
【００３４】
この第３実施例の特徴とするところは、以下の点にある。即ち、前枠３６において、係止部５６側の正面側部位６４Ｂには、弾性変形可能な肉薄部９４を形成し、前枠カバー４０においては、この肉薄部９４に対峙する側の突出部７８に、内側に漸次狭まる角度θのテーパ面９６を形成し、このテーパ面９６には肉薄部９４の先端部９４Ａを当接して設けた。
【００３５】
この第３実施例の構成によれば、前枠カバー４０を前枠３６に嵌め込んだときに、テーパ面９６の存在によって肉薄部９４の先端部９４Ａを押圧することで、肉薄部９４が変形し、よって、正面側部位６４Ｂが結露防止用ヒータ３４を正面側折り返し部４６に押圧して密着させることができ、これにより、結露防止用ヒータ３４のの伝熱性を良くして、結露をさらに効果的に防止することができる。
【産業上の利用可能性】
【００３６】
この発明の農産物保冷庫は、結露防止用ヒータを壁材に簡単な構成で密着させて農産物を冷却保存するものであり、他の冷却保存物にも用いることができる。
【図面の簡単な説明】
【００３７】
【図１】第１実施例において図２の矢印Ｉによる農産物保冷庫のヒータ収納機構の拡大断面図である。
【図２】第１実施例において図５の矢印ＩＩによるパネルの拡大断面図である。
【図３】第１実施例において前枠の拡大断面図である。
【図４】第１実施例において前枠カバーの拡大断面図である。
【図５】第１実施例において図６のＶ−Ｖ線による農産物保冷庫の断面図である。
【図６】第１実施例において農産物保冷庫の正面図である。
【図７】第２実施例において農産物保冷庫のヒータ収納機構の拡大断面図である。
【図８】第３実施例において農産物保冷庫のヒータ収納機構の拡大断面図である。
【図９】従来におけるパネルの拡大断面図である。
【符号の説明】
【００３８】
２  農産物保冷庫
４  本体
６  床面パネル
８・１０  側面パネル
１２  天井パネル
１４  背面パネル
１６  外側壁材
１８  内側壁材
２０  断熱材
２２  開口部
２４  貯蔵室
２６  扉
２８  冷却ユニット
３２  ヒータ収納機構
３４  結露防止用ヒータ
３６  前枠
３８  ヒータ収納部
４０  前枠カバー
４６  正面側折り返し部
６４  ヒータ収納溝
８４  突起部
８６  ヒータ保持溝
【図１】
2005061804.tif 000003
【図２】
2005061804.tif 000004
【図３】
2005061804.tif 000005
【図４】
2005061804.tif 000006
【図５】
2005061804.tif 000007
【図６】
2005061804.tif 000008
【図７】
2005061804.tif 000009
【図８】
2005061804.tif 000010
【図９】
2005061804.tif 000011